(57)【要約】【課題】表示装置における表示要素と加飾部材の対応部分との相対的な位置精度の向上。【解決手段】表示保持性を有する電気泳動パネル１０に加飾部材２０を装着した表示装置１の製造方法であって、電気泳動パネル１０の表示部１０ａには第１の位置決めパターン１４ｅ，１４ｆが形成され、加飾部材２０には第２の位置決めパターン２０ｅ，２０ｆが形成され、電気泳動パネル１０の表示部１０ａに、第１の位置決めパターン１４ｅ，１４ｆを表示する表示工程と、加飾部材２０を電気泳動パネル１０上に配置し、平面視において第１の位置決めパターン１４ｅ，１４ｆと第２の位置決めパターン２０ｅ，２０ｆとを位置合わせする位置合わせ工程と、位置合わせ工程後に、電気泳動パネル１０に加飾部材２０を装着する装着工程と、を有することを特徴とする。【選択図】図１
2010078762.tif 000002
【特許請求の範囲】
【請求項１】
表示保持性を有する表示パネルに加飾部材が装着された表示装置の製造方法であって、
前記表示パネルの表示部には第１の位置決めパターンが形成され、前記加飾部材には第２の位置決めパターンが形成され、
前記表示パネルの前記表示部に、前記第１の位置決めパターンを表示する表示工程と、
前記加飾部材を前記表示パネル上に配置し、平面視において前記第１の位置決めパターンと前記第２の位置決めパターンとを位置合わせする位置合わせ工程と、
前記位置合わせ工程後に、前記表示パネルに前記加飾部材を装着する装着工程と、を有することを特徴とする表示装置の製造方法。
【請求項２】
請求項１に記載の表示装置の製造方法において、前記第１の位置決めパターンが、前記表示部の他の表示要素を兼ねることを特徴とする表示装置の製造方法。
【請求項３】
請求項１または２に記載の表示装置の製造方法において、前記表示パネルが電気泳動パネルであることを特徴とする表示装置の製造方法。
【請求項４】
請求項１〜３のいずれか一項に記載の表示装置の製造方法において、前記表示パネルがセグメント表示型であることを特徴とする表示装置の製造方法。
【請求項５】
請求項１〜４のいずれか一項に記載の表示装置の製造方法により製造されたことを特徴とする表示装置。
【請求項６】
請求項５に記載の表示装置を搭載したことを特徴とする電子機器。
【請求項７】
請求項６に記載の電子機器が、電子時計であることを特徴とする電子機器。
【発明の詳細な説明】
【技術分野】
【０００１】
本発明は、表示装置の製造方法、この表示装置の製造方法により製造された表示装置、及びこの表示装置を搭載した電子機器に関する。
【背景技術】
【０００２】
従来、時計ケース内に表示保持性を有する表示パネルと、この表示パネルの表面に近接または密着して重ねられ全部または一部が透明または半透明である加飾板（以下、加飾部材という）とを備えた計時装置が知られている（特許文献１参照）。
【０００３】
【特許文献１】特開２００７−４７０３０号公報
【発明の開示】
【発明が解決しようとする課題】
【０００４】
上記計時装置（以下、電子時計という）は、表示パネルと加飾部材と（以下、両者をまとめて表示装置ともいう）を重ねるときの、それぞれの位置の基準が時計ケースの内側の壁となる。
このことから、表示装置の表示パネルの表示部に表示された表示要素（時：分表示、曜日表示、他の機能のグラフィカル表示など）と、この表示要素に対応する加飾部材の対応部分との平面視における位置ずれについては、例えば、時計ケースの内径寸法を一定とした場合、下記のような複数の要因が挙げられる。
（１）表示パネルの外形寸法のばらつき（時計ケース内での隙間のばらつき）。
（２）表示パネルの外形から表示要素（表示用電極）までの寸法のばらつき。
（３）加飾部材の外形寸法のばらつき（時計ケース内での隙間のばらつき）。
（４）加飾部材の外形から表示要素に対応する対応部分までの寸法のばらつき。
【０００５】
したがって、電子時計は、これらの要因が積み重なることにより、表示装置の表示パネルの表示部に表示された表示要素と、この表示要素に対応する加飾部材の対応部分との位置ずれが大きくなる。これにより、電子時計は、表示要素と加飾部材の対応部分との相対的な位置精度が低下する。
このことから、電子時計は、この相対的な位置精度の低下により、例えば、細分化された表示要素のそれぞれに対応した精細な目盛りなどを、加飾部材に施すことが困難となる。これにより、電子時計は、この精細な目盛りなどが施された加飾部材を用いることによる高級感、精密感などの向上を図ることができないという問題がある。
【０００６】
また、電子時計は、この位置精度の低下により、表示パネルの表示部に表示された表示要素に対応する加飾部材の本来の対応部分と、そうではない部分とを、使用者が誤認識してしまう虞がある。
これにより、電子時計は、表示パネルの表示部に表示された表示要素の示している内容を、使用者が誤って理解してしまう虞がある。
【課題を解決するための手段】
【０００７】
本発明は、上記課題の少なくとも一部を解決するためになされたものであり、以下の形態または適用例として実現することが可能である。
【０００８】
［適用例１］本適用例にかかる表示装置の製造方法は、表示保持性を有する表示パネルに加飾部材が装着された表示装置の製造方法であって、前記表示パネルの表示部には第１の位置決めパターンが形成され、前記加飾部材には第２の位置決めパターンが形成され、前記表示パネルの前記表示部に、前記第１の位置決めパターンを表示する表示工程と、前記加飾部材を前記表示パネル上に配置し、平面視において前記第１の位置決めパターンと前記第２の位置決めパターンとを位置合わせする位置合わせ工程と、前記位置合わせ工程後に、前記表示パネルに前記加飾部材を装着する装着工程と、を有することを特徴とする。
【０００９】
これによれば、表示装置の製造方法は、表示パネルの表示部に、第１の位置決めパターンを表示し、加飾部材を表示パネル上に配置し、平面視において第１の位置決めパターンと加飾部材の第２の位置決めパターンとを位置合わせし、その後、表示パネルに加飾部材を装着する。
したがって、表示装置の製造方法は、表示パネル上に装着された加飾部材の、表示要素との位置ずれ要因が、略第１の位置決めパターンと第２の位置決めパターンとの位置合わせずれのみとなることから、従来と比較して、表示要素と加飾部材の対応部分との相対的な位置精度が格段に向上する。
【００１０】
これにより、表示装置の製造方法は、例えば、細分化された表示要素のそれぞれに対応した精細な目盛りなどを加飾部材に施すことが可能となることから、表示装置の高級感、精密感などの向上を図ることができる。
加えて、表示装置の製造方法は、上記の位置精度が格段に向上することから、表示パネルに表示された表示要素に対応する加飾部材の本来の対応部分と、そうではない部分との使用者の誤認識の虞を回避できる。
【００１１】
［適用例２］上記適用例にかかる表示装置の製造方法は、前記第１の位置決めパターンが、前記表示部の他の表示要素を兼ねることが好ましい。
【００１２】
これによれば、表示装置の製造方法は、第１の位置決めパターンが、表示部の他の表示要素を兼ねることから、専用の第１の位置決めパターンが不要である。
したがって、表示装置の製造方法は、専用の第１の位置決めパターンのスペースが不要となることから、表示パネルの表示部の面積を小さくできる。これにより、表示装置の製造方法は、表示装置の外形サイズを小型化できる。
【００１３】
［適用例３］上記適用例にかかる表示装置の製造方法は、前記表示パネルが電気泳動パネルであることが好ましい。
【００１４】
これによれば、表示装置の製造方法は、表示パネルが電気泳動パネルであることから、電源遮断後の表示保持性が比較的に長時間に亘って良好である。
したがって、表示装置の製造方法は、表示パネル単体で第１の位置決めパターンを長時間表示し続けることができることから、表示パネルに関わる周辺部材との干渉が避けられ、加飾部材の第２の位置決めパターンとの位置合わせを容易に行うことができる。
【００１５】
［適用例４］上記適用例にかかる表示装置の製造方法は、前記表示パネルがセグメント表示型であることが好ましい。
【００１６】
これによれば、表示装置の製造方法は、表示パネルがセグメント表示型であることから、例えば、アクティブマトリクス型と比較して、構成が単純であり表示パネルの製造を容易に行うことができる。
【００１７】
［適用例５］本適用例にかかる表示装置は、上記適用例のいずれか一項に記載の表示装置の製造方法により製造されたことを特徴とする。
【００１８】
これによれば、表示装置は、上記適用例のいずれか一項に記載の表示装置の製造方法により製造されたことから、従来と比較して、表示部の表示要素と加飾部材の対応部分との相対的な位置精度が格段に向上する。
【００１９】
［適用例６］本適用例にかかる電子機器は、上記適用例に記載の表示装置を搭載したことを特徴とする。
【００２０】
これによれば、電子機器は、上記適用例に記載の表示装置を搭載したことから、従来と比較して、表示部の表示要素と加飾部材の対応部分との相対的な位置精度が格段に向上した表示装置を得ることができる。
【００２１】
［適用例７］上記適用例にかかる電子機器は、電子時計であることが好ましい。
【００２２】
これによれば、上記適用例にかかる電子機器は、電子時計であることから、表示部の表示要素と加飾部材の対応部分との相対的な位置精度が格段に向上した表示装置を、高級感、精密感などの向上に結びつけることができる。
【発明を実施するための最良の形態】
【００２３】
以下、表示装置の製造方法、表示装置、電子機器及び電子時計の実施形態について図面を参照して説明する。
【００２４】
（実施形態）
図１は、本実施形態の表示装置の概略構成を示す模式図である。図１（ａ）は、平面図、図１（ｂ）は、同図（ａ）のＡ−Ａ線での拡大断面図である。なお、図１の平面図では、理解を容易にするために一部の構成要素にハッチングを施してある。また、図１の断面図では、理解を容易にするために一部の構成要素のハッチングを省略してある。
図２は、図１（ｂ）のＢ部の拡大図である。
【００２５】
図１に示すように、表示装置１は、表示保持性（電源を遮断しても一定の時間、表示状態が保持されている性質）を有する表示パネルとしての電気泳動パネル１０と、加飾部材（装飾効果を有する部材）２０などから構成されている。
電気泳動パネル１０は、ラミネートフィルム１１，１２、実装基板１３、セグメント電極１４、背景電極１８、電気泳動層１５、透明電極１６、透明基板１７などから構成されている。
【００２６】
電気泳動パネル１０は、ガラエポ基板などからなる実装基板１３上に、金属箔膜などからなるセグメント電極１４及び背景電極１８が形成されてなる表示コントロール部分と、ガラスまたはプラスチックなどからなる透明基板１７のセグメント電極１４に対向する側に透明電極（共通電極）１６が形成され、透明電極１６のセグメント電極１４に対向する側に電気泳動層１５が設けられてなる電気泳動部分とを備えている。これにより、電気泳動層１５は、セグメント電極１４及び背景電極１８と透明電極１６とに挟まれている。
そして、電気泳動パネル１０は、一体となった表示コントロール部分及び電気泳動部分が、耐透湿性に優れたラミネートフィルム１１，１２によって覆われて封止され、内部の湿度が一定に保たれている。
【００２７】
電気泳動パネル１０は、表示方式がセグメント表示型であり、セグメント電極１４の形状を必要な表示要素に合わせて形成することで、表示部１０ａにセグメント電極１４の形状に倣った表示を行う。なお、図１（ａ）の２点鎖線１０ｂは、表示装置１を電子時計などの電子機器に搭載した際の見切り形状の一例を示している。
図１（ａ）に示すように、電気泳動パネル１０は、７つのセグメントで「８」が形成されたセグメント電極１４ａを４つと、コロン形状のセグメント電極１４ｂとにより表示要素としての「時：分」などが、例えば、「１０：０８」のように表示される（図５参照）。
【００２８】
そして、電気泳動パネル１０は、枠状に形成されたセグメント電極１４ｃを７つ設けて、当該曜日に対応するセグメント電極１４ｃ部分が表示されることで、表示要素としての曜日が表示される。
また、電気泳動パネル１０は、１２分割された円グラフ状に形成されたセグメント電極１４ｄによる表示部分を、一定の時間の経過とともに増減させることで表示要素としてのタイマーなどがグラフィカルに表示される。
【００２９】
そして、電気泳動パネル１０は、セグメント電極１４を十字状に形成することにより第１の位置決めパターン１４ｅ，１４ｆが表示部１０ａの両端部に表示される。
なお、各セグメント電極１４（セグメント電極全体を指す場合には、符号を１４とする）の周囲には、背景電極１８が形成されている。
なお、図１（ａ）では、全部の表示要素が表示された状態を示している。
【００３０】
ここで、電気泳動パネル１０の動作について説明する。
図２に示すように、電気泳動パネル１０の電気泳動層１５は、例えば、プラスに帯電された複数の画素となる黒粒子１５ａと白色の電気泳動分散液１５ｂとを封入したマイクロカプセル１５ｃの敷き詰め層である。
そして、電気泳動層１５は、図示しないドライバＩＣやＲＯＭに記憶されたプログラムソフトの働きで、セグメント電極１４及び背景電極１８と透明電極１６との間で駆動電圧を印加することにより発生する電界により、マイクロカプセル１５ｃ内の黒粒子１５ａが電気泳動して分布状態が変わり、白色の電気泳動分散液１５ｂとの間で表示色が２色変化して表示を行う。
【００３１】
電気泳動パネル１０は、矢印Ｃ方向から見て、黒粒子１５ａが透明電極１６側（表面側）に移動すると黒色を呈し、黒粒子１５ａがセグメント電極１４側（裏面側）に移動すると電気泳動分散液１５ｂの色である白色を呈する。
【００３２】
詳述すると、電気泳動パネル１０は、透明電極１６が０Ｖ電位（アース電位）に保持され、セグメント電極１４がプラス電位になると、プラス電位のセグメント電極１４から０Ｖ電位の透明電極１６に向かう電界が発生し、プラスに帯電した黒粒子１５ａが透明電極１６側に移動する。
これに伴って、電気泳動パネル１０は、電気泳動分散液１５ｂがセグメント電極１４側に移動する。この結果、矢印Ｃ方向（表面側）から見るマイクロカプセル１５ｃは黒色を呈する。
【００３３】
これとは逆に、透明電極１６がプラス電位、セグメント電極１４が０Ｖ電位に保持されると、プラスに帯電した黒粒子１５ａがセグメント電極１４側に移動する。この結果、矢印Ｃ方向から見るマイクロカプセル１５ｃは、電気泳動分散液１５ｂにより白色を呈する。
また、透明電極１６とセグメント電極１４との間に電位差を生じない場合には、黒粒子１５ａの移動が生じないため、マイクロカプセル１５ｃの表示色は変化せずに以前の状態が維持される。つまり、電気泳動パネル１０は、表示保持性を有している。
なお、電気泳動パネル１０は、湿度が上がるとこのマイクロカプセル１５ｃ内の黒粒子１５ａ、電気泳動分散液１５ｂの移動に支障をきたす虞があることから、耐透湿性に優れたラミネートフィルム１１，１２により覆われ、封止処理が施されている。
【００３４】
本実施形態の電気泳動パネル１０は、背景電極１８を備えることによって「時：分」などの表示を白黒反転表示することができる。
ここで、透明電極１６をプラス電位、全てのセグメント電極１４及び背景電極１８を０Ｖ電位とすれば、全てのマイクロカプセル１５ｃ内の黒粒子１５ａが裏面側へ移動して、電気泳動パネル１０は、表示部１０ａ全面が白色を呈する。
また、反対に、透明電極１６を０Ｖ電位、全てのセグメント電極１４及び背景電極１８をプラス電位とすれば、全てのマイクロカプセル１５ｃ内の黒粒子１５ａが表面側へ移動して、電気泳動パネル１０は、表示部１０ａ全面が黒色を呈する。
【００３５】
周囲を白く、「時：分」などの表示を黒く表示するには、表示部１０ａ全面を白色にした状態から、透明電極１６をプラス電位から０Ｖ電位に切り替えるとともに、例えば「時：分」であったら、７つのセグメントのうち現在の「時：分」を黒く表示するのに必要な複数のセグメント電極１４ａのみを０Ｖ電位からプラス電位に切り替える。
また、反対に、周囲を黒く、「時：分」などの表示を白く表示するには、表示部１０ａ全面を白色にした状態から、透明電極１６をプラス電位から０Ｖ電位に切り替えるとともに、例えば「時：分」であったら、７つのセグメントのうち現在の「時：分」を白く表示するのに必要な複数のセグメント電極１４ａ以外の全てのセグメント電極１４及び背景電極１８をプラス電位から０Ｖ電位に切り替える。
【００３６】
このように、黒色から白色へ及び白色から黒色への反転表示には、反転前表示と反転後表示の間に表示部１０ａ全面を白色表示した状態に戻すことが行われている。なお、上記とは別の方法で表示を切り替えてもよい。また、反転表示機能は、なくてもよい。
また、電気泳動パネル１０の電気泳動層１５は、マイクロカプセルの電気泳動分散液の中に黒粒子、白粒子の２色の粒子が存在する粉末流体方式の形態であってもよい。
【００３７】
図１に戻って、表示装置１は、電気泳動パネル１０のラミネートフィルム１１上に、加飾部材２０の一部であり内側に１２箇所の突出部があるリング状目盛り２０ａと、７つの曜日略字（Ｓ，Ｍ，Ｔ，Ｗ，Ｔ，Ｆ，Ｓ）２０ｂと（図１（ａ）のハッチング部分）が装着されている。
図１に示すように、このリング状目盛り２０ａは、１２分割された円グラフ状に形成されたセグメント電極１４ｄに対応する位置に装着されている。
また、７つの曜日略字２０ｂは、枠状に形成された７つのセグメント電極１４ｃのそれぞれに対応する位置に装着されている。
【００３８】
リング状目盛り２０ａ及び曜日略字２０ｂは、電鋳メッキなどの比較的にメッキ厚みを厚くできるメッキ法などによって形成されている。このことから、リング状目盛り２０ａ及び曜日略字２０ｂは、電気泳動パネル１０のフラットな表示に対して立体感及び金属ならではの高級感を付与することができる。
【００３９】
図３は、装着前の加飾部材の透視平面図である。
図３に示すように、リング状目盛り２０ａ及び曜日略字２０ｂは、粘着性を有する透明なベース基板２０ｃに、第２の位置決めパターン２０ｅ，２０ｆと一緒に別部材上から転写されている。
この第２の位置決めパターン２０ｅ，２０ｆは、リング状目盛り２０ａ及び曜日略字２０ｂ形成時に、リング状目盛り２０ａ及び曜日略字２０ｂと同様の形成方法で一括して形成されている。したがって、第２の位置決めパターン２０ｅ，２０ｆと、リング状目盛り２０ａ及び曜日略字２０ｂとの相対的な位置精度は極めて高くなっている。
また、第２の位置決めパターン２０ｅ，２０ｆは、第１の位置決めパターン１４ｅ，１４ｆと同様の十字状に形成されている。
そして、第２の位置決めパターン２０ｅ，２０ｆは、加飾部材２０のベース基板２０ｃを電気泳動パネル１０上の所定の位置に重ねたときに、平面視において第１の位置決めパターン１４ｅ，１４ｆと重なり合う位置に設けられている。
【００４０】
リング状目盛り２０ａ及び曜日略字２０ｂは、平面視において電気泳動パネル１０に表示されている第１の位置決めパターン１４ｅ，１４ｆと、加飾部材２０の第２の位置決めパターン２０ｅ，２０ｆとが位置合わせされた状態で、電気泳動パネル１０上に転写、装着されている（製造方法の詳細は後述する）。
なお、ベース基板２０ｃの紙面左右両端には、位置合わせ用の案内孔２０ｄ，２０ｇが設けられている。
なお、加飾部材２０は、特開昭６４−２６１８４号公報に開示されている時計用表示部品の製造方法などの公知の技術を用いて製造することができる。
【００４１】
ここで、表示装置１の製造方法について図１、図３、図４を参照して説明する。
図４は、表示装置の製造方法の一例について説明する模式側面図である。なお、図４では構成要素の一部を省略している。
【００４２】
（表示工程）
まず、上述した電気泳動パネル１０のセグメント電極１４及び透明電極１６間に駆動電圧を印加し、表示部１０ａに第１の位置決めパターン１４ｅ，１４ｆを表示する。このとき、第１の位置決めパターン１４ｅ，１４ｆが黒色、背景電極１８が白色で表示されるのが、第１の位置決めパターン１４ｅ，１４ｆの見易さの観点から好ましい。
ついで、図４（ａ）に示すように、第１の位置決めパターン１４ｅ，１４ｆが表示された電気泳動パネル１０を単体にして、治具３０上にセットする。
このとき、電気泳動パネル１０は、表示保持性を有することから、電気泳動パネル１０を単体にして電源を遮断しても第１の位置決めパターン１４ｅ，１４ｆを長時間に亘って表示できる。なお、以降の作業に支障がなければ、電気泳動パネル１０を単体にしなくてもよい。
【００４３】
（位置合わせ工程）
ついで、図４（ｂ）に示すように、加飾部材２０のベース基板２０ｃの案内孔２０ｄ，２０ｇを治具３０の案内ピン３１，３２に通し、加飾部材２０を電気泳動パネル１０上に配置する。
ついで、治具３０の案内ピン３１，３２の位置を図４（ｂ）の矢印方向や、この矢印方向と交差する方向などに移動することにより微調整して、平面視において電気泳動パネル１０の第１の位置決めパターン１４ｅ，１４ｆと、加飾部材２０の第２の位置決めパターン２０ｅ，２０ｆとを位置合わせする。
詳述すると、第１の位置決めパターン１４ｅと第２の位置決めパターン２０ｅとが重なって一致し、且つ第１の位置決めパターン１４ｆと第２の位置決めパターン２０ｆとが重なって一致するように位置合わせする。
【００４４】
（装着工程）
ついで、位置合わせ工程後に、図４（ｃ）に示すように、ベース基板２０ｃのリング状目盛り２０ａ及び曜日略字２０ｂが配置されている部分の上面を、治具３３で矢印方向に加圧または加圧及び加熱して、リング状目盛り２０ａ及び曜日略字２０ｂを電気泳動パネル１０上に転写して装着する。
なお、リング状目盛り２０ａ及び曜日略字２０ｂの電気泳動パネル１０側の面、または、電気泳動パネル１０のラミネートフィルム１１上のリング状目盛り２０ａ及び曜日略字２０ｂに対向する部分には、接着剤などの装着用部材を予め塗布しておく。
【００４５】
ついで、第２の位置決めパターン２０ｅ，２０ｆが残った状態のベース基板２０ｃを除去することで、図４（ｄ）に示すように、電気泳動パネル１０上にリング状目盛り２０ａ及び曜日略字２０ｂが装着された表示装置１が得られる。
【００４６】
上述したように、表示装置１の製造方法は、電気泳動パネル１０の第１の位置決めパターン１４ｅ，１４ｆを表示し、加飾部材２０を電気泳動パネル１０上に配置し、平面視において第１の位置決めパターン１４ｅ，１４ｆと加飾部材２０の第２の位置決めパターン２０ｅ，２０ｆとを位置合わせし、この状態で加飾部材２０のリング状目盛り２０ａ及び曜日略字２０ｂを加圧などにより電気泳動パネル１０上に転写して装着する。
【００４７】
したがって、表示装置１の製造方法は、電気泳動パネル１０上に装着されたリング状目盛り２０ａ及び曜日略字２０ｂの、セグメント電極１４ｄ及びセグメント電極１４ｃに対する位置ずれ要因が、略第１の位置決めパターン１４ｅ，１４ｆと第２の位置決めパターン２０ｅ，２０ｆとの位置合わせ時のずれのみとなる。
これにより、表示装置１の製造方法は、従来の位置ずれ要因（１）〜（４）が解消することから、従来の製造方法と比較して、電気泳動パネル１０のセグメント電極１４ｄ及びセグメント電極１４ｃとリング状目盛り２０ａ及び曜日略字２０ｂとの相対的な位置精度が格段に向上する。
このことから、表示装置１の製造方法は、この相対的な位置精度の向上に伴い、表示装置１の高級感、精密感などの向上を図ることができる。
【００４８】
また、表示装置１の製造方法は、表示保持性を有する表示パネルとして電気泳動パネル１０を用いていることから、電源遮断後の表示保持性が比較的に長時間に亘って良好である。
したがって、表示装置１の製造方法は、電気泳動パネル１０単体でも第１の位置決めパターン１４ｅ，１４ｆを表示し続けることができることから、電気泳動パネル１０に関わる周辺部材との干渉が避けられ、加飾部材２０の第２の位置決めパターン２０ｅ，２０ｆとの位置合わせ作業を容易に行うことができる。
【００４９】
また、表示装置１の製造方法は、電気泳動パネル１０の表示方式がセグメント表示型であることから、例えば、アクティブマトリクス型と比較して、構成が単純であり電気泳動パネル１０の製造を容易に行うことができる。
【００５０】
また、表示装置１は、上述した製造方法により製造されていることから、従来と比較して、電気泳動パネル１０のセグメント電極１４ｄ及びセグメント電極１４ｃとリング状目盛り２０ａ及び曜日略字２０ｂとの相対的な位置精度が格段に向上する。
このことから、表示装置１は、高級感、精密感などの向上を図ることができる。
【００５１】
また、表示装置１は、上記の位置精度が格段に向上することから、電気泳動パネル１０の表示部１０ａに表示された、例えば、セグメント電極１４ｄに対応するリング状目盛り２０ａの本来の対応部分と、そうではない部分との、使用者の誤認識の虞を低減できる。
【００５２】
なお、上記実施形態では、第１の位置決めパターン１４ｅ，１４ｆを専用に設けたが、これに限定するものではなく、第１の位置決めパターンを表示要素と兼用してもよい。
つまり、第１の位置決めパターンは、例えば、「時：分」表示を行う４つのセグメント電極１４ａのうち、両端に位置するセグメント電極１４ａの一部を用いてもよい。
そして、加飾部材２０の第２の位置決めパターン２０ｅ，２０ｆを、上記の第１の位置決めパターンとなるセグメント電極１４ａの一部と同一形状、同一位置に形成する。これにより、表示装置１は、専用の第１の位置決めパターン１４ｅ，１４ｆが不要となる。
このことから、表示装置１は、電気泳動パネル１０の表示部１０ａのサイズを小さくすることができ、表示装置としての外形サイズを小型化できる。
【００５３】
なお、表示装置１は、第１の位置決めパターン１４ｅ，１４ｆが位置合わせ時以外は表示されないため、第１の位置決めパターン１４ｅ，１４ｆを他の表示要素の近傍に形成することができる。
これにより、表示装置１は、第１の位置決めパターン１４ｅ，１４ｆ間の距離を短くできることから、周囲の温度変化などによる電気泳動パネル１０の伸縮、そりなどの変形に伴う第１の位置決めパターン１４ｅ，１４ｆ間の距離の変動を少なくできる。
【００５４】
なお、上記実施形態では、第１の位置決めパターン１４ｅ，１４ｆを用いて加飾部材２０を装着したが、これに限定するものではなく、第１の位置決めパターン１４ｅ，１４ｆを印刷マスクとの位置決めパターンとして用いることで、電気泳動パネル１０上に印刷マスクを配置し、スクリーン印刷などで加飾部材としての文字、図柄などの印刷を施してもよい。
これによれば、表示装置１は、上記実施形態と同様の効果が得られる。
【００５５】
また、上記実施形態の第１の位置決めパターン１４ｅ，１４ｆは、電気泳動パネル１０の「時：分」表示などの表示検査を画像認識で行う際の、位置合わせの基準パターンとして用いることもできる。
なお、上記実施形態では、第１の位置決めパターン１４ｅ，１４ｆ及び第２の位置決めパターン２０ｅ，２０ｆの形状を十字状としたが、これに限定するものではなく、位置合わせが容易な形状であれば円形などでもよい。
【００５６】
また、上記実施形態では、表示保持性を有する表示パネルとして電気泳動パネル１０を用いたが、これに限定するものではなく、例えば、半球ごとに白と黒とに塗り分けられた球形微粒子の向きを電界により制御して、表示要素を表示するツイストボールを用いた表示パネルなどでもよい。
【００５７】
（電子機器）
ここで、上記表示装置１を搭載した電子機器について説明する。
図５は、表示装置を搭載した電子機器としての電子時計の外観図である。
図５に示すように、電子時計１００は、時計ケース１１０内部に表示装置として上記表示装置１が搭載されている。そして、電子時計１００は、図示しない駆動装置などにより表示装置１に駆動電圧が印加されることで、表示装置１の電気泳動パネル１０の表示部１０ａに必要な表示要素が表示される。
【００５８】
これによれば、電子時計１００は、電気泳動パネル１０の表示要素であるタイマーを表示するセグメント電極１４ｄ及び曜日を表示するセグメント電極１４ｃと、電気泳動パネル１０上に装着された加飾部材としてのリング状目盛り２０ａ及び曜日略字２０ｂとの、相対的な位置精度が格段に向上した表示装置１を、電子時計１００の高級感、精密感などの向上に結びつけることができる。
【図面の簡単な説明】
【００５９】
【図１】本実施形態の表示装置の概略構成を示す模式図。
【図２】図１（ｂ）のＢ部の拡大図。
【図３】装着前の加飾部材の透視平面図。
【図４】表示装置の製造方法の一例について説明する模式側面図。
【図５】表示装置を搭載した電子機器としての電子時計の外観図。
【符号の説明】
【００６０】
１…表示装置、１０…表示パネルとしての電気泳動パネル、１０ａ…表示部、１１，１２…ラミネートフィルム、１３…実装基板、１４（１４ａ，１４ｂ，１４ｃ，１４ｄ）…セグメント電極、１４ｅ，１４ｆ…第１の位置決めパターン、１５…電気泳動層、１６…透明電極、１７…透明基板、１８…背景電極、２０…加飾部材、２０ａ…加飾部材としてのリング状目盛り、２０ｂ…加飾部材としての曜日略字、２０ｃ…加飾部材としてのベース基板、２０ｅ，２０ｆ…第２の位置決めパターン。
【図１】
2010078762.tif 000003
【図２】
2010078762.tif 000004
【図３】
2010078762.tif 000005
【図４】
2010078762.tif 000006
【図５】
2010078762.tif 000007